(57)【特許請求の範囲】
【請求項１】
収納物が載置され、棚本体の奥行き方向から該棚本体の外側である正面方向へ水平方向にスライド移動可能に設けられた棚板と、前記棚板がスライド移動するとともに従動してスライド移動して引き出された前記棚板を支持する支持構造とを備え、
前記支持構造は、前記棚本体の前記棚板の側端部側に設けられたガイド部と、スライド移動する前記棚板に従動して前記棚板を支持する支持部と、前記支持部を操作するための操作部とを備え、
前記ガイド部は、前記棚本体の奥行き方向後方側から前方側に向かうに従い漸次上方に傾斜して形成されるとともに、上方を向く傾斜面に下方に凹む嵌合凹所が設けられたガイド溝を有し、
前記支持部は、上端側が前記棚板の一側端部に接続されるとともに、下端側に前記ガイド溝に案内されて前記嵌合凹所に嵌合可能な嵌合体を有していることを特徴とする収納棚。
【請求項２】
収納物が載置され、棚本体の奥行き方向から該棚本体の外側である正面方向へ水平方向にスライド移動可能に設けられた棚板と、前記棚板がスライド移動するとともに従動してスライド移動して引き出された前記棚板を支持する支持構造とを備え、
前記支持構造は、前記棚本体の前記棚板の側端部側に設けられたガイド部と、スライド移動する前記棚板に従動して前記棚板を支持する支持部と、前記ガイド部に取り付けられ、前記ガイド部と前記支持部を連結する連結部とを備え、
前記ガイド部は、前記棚本体の奥行き方向前方側に上端を、後方側に下端を配して傾斜するようにして前記棚本体に固定され、
前記支持部は、前記棚板の一側端部に接続されるとともに、下端側が前記連結部に接続され、
前記連結部は、前記支持部の回動に従動することを特徴とする収納棚。
【請求項３】
収納物が載置され、棚本体の奥行き方向から該棚本体の外側である正面方向へ水平方向にスライド移動可能に設けられた棚板と、前記棚板がスライド移動するとともに従動してスライド移動して引き出された前記棚板を支持する支持構造とを備え、
前記支持構造は、前記棚本体の前記棚板の一側端部側に設けられたガイド部と、スライド移動する前記棚板に従動して前記棚板を支持する棒状の支持部と、前記支持部を操作するための操作部とを備え、
前記ガイド部は、前記棚本体の奥行き方向後方側から前方側に向かうに従い漸次上方に傾斜して形成されるとともに、上方を向く傾斜面に下方に凹む嵌合凹所が設けられたガイド溝を有し、
前記支持部は、上端側が前記棚板の一側端部に回動可能に接続されるとともに、下端側に前記ガイド溝に案内されて前記嵌合凹所に嵌合可能な嵌合体を有し、
前記操作部は、前記棚板の一側端部に回動可能に接続して設けられたレバー部材と、前記棚板の一側端部に回動可能に接続して設けられ、前記レバー部材を回動操作するとともに前記レバー部材に押圧されて回動し、前記支持部を押圧して回動させる押圧部材とを備えていることを特徴とする収納棚。
【請求項４】
収納物が載置され、棚本体の奥行き方向から該棚本体の外側である正面方向へ水平方向にスライド移動可能に設けられた棚板と、前記棚板がスライド移動するとともに従動してスライド移動して引き出された前記棚板を支持する支持構造とを備え、
前記支持構造は、前記棚本体の前記棚板の一側端部側に設けられたガイド部と、スライド移動する前記棚板に従動して前記棚板を支持する棒状の支持部と、前記ガイド部に取り付けられ、前記ガイド部と前記支持部を連結する連結部とを備え、
前記ガイド部は、前記棚本体の奥行き方向前方側に上端を、後方側に下端を配して傾斜するようにして前記棚本体に固定され、
前記支持部は、上端側が前記棚板の一側端部に回動可能に接続されるとともに、下端側が前記連結部に接続され、
前記連結部は、前記支持部の回動に応じて前記ガイド部に案内されて、前記ガイド部に沿って進退移動可能に設けられていることを特徴とする収納棚。
【発明の詳細な説明】
【技術分野】
【０００１】
本発明は、収納物を収納する収納棚に関する。
【背景技術】
【０００２】
一般に、二次電池によって電源を構成する場合、複数の二次電池によって組電池を構成する。風力発電や定置型の各種設備の電源として用いる場合などには、数十個の単位で組電池を構成する場合がある。このような場合、複数の二次電池は、収納棚に配列して収納され、互いにバスバーや電線によって接続されることで組電池を構成している。そして、必要なメンテナンスや交換を実施する場合には、作業者が収納棚前面から収納されている二次電池を出し入れするようにしている。
【０００３】
ところで、上記二次電池のような収納物を収納するための収納棚としては、収納物をスライド可能に支持するスライド装置を備えたものが提案されている（例えば、特許文献１参照）。特許文献１のような収納棚においては、収納棚内において、スライド装置としてスライド可能なバーが搭載されており、当該バー上に収納物が配置されている。このため、バーをスライドさせることで、バー上の収納物を収納棚の内部から外部へと引き出すことが可能であり、収納物を外部へ引き出された状態で出し入れすることが可能となる。
【先行技術文献】
【特許文献】
【０００４】
【特許文献１】実開昭６０−１６７５５０号公報
【発明の概要】
【発明が解決しようとする課題】
【０００５】
しかしながら、特許文献１のような収納棚では、収納物をスライド装置によってスライドさせて外部へと引き出した状態において、スライド箇所のみで荷重を受けることになる。このため、二次電池などの重量物を収納物として収納した場合には、安定的に支持することが困難であった。また、安定的に支持しようとすれば、スライド箇所の剛性を強固にする必要があり、収納棚の重量が重くなってしまうためメンテナンス性が低下する等の問題があった。
【０００６】
本発明は、上記事情に鑑み、簡易な構成で、棚板に載置した二次電池などの重量物であっても収納物を安定的に支持された状態で取り出すことが可能な収納棚を提供することを目的とする。
【課題を解決するための手段】
【０００７】
上記の目的を達するために、この発明は以下の手段を提供している。
本発明の収納棚は、収納物が載置され、棚本体の奥行き方向から該棚本体の外側である正面方向へ水平方向にスライド移動可能に設けられた棚板と、前記棚板がスライド移動するとともに従動してスライド移動して引き出された前記棚板を支持する支持構造とを備え、 前記支持構造は、前記棚本体の前記棚板の側端部側に設けられたガイド部と、スライド移動する前記棚板に従動して前記棚板を支持する支持部と、前記支持部を操作するための操作部とを備え、前記ガイド部は、前記棚本体の奥行き方向後方側から前方側に向かうに従い漸次上方に傾斜して形成されるとともに、上方を向く傾斜面に下方に凹む嵌合凹所が設けられたガイド溝を有し、前記支持部は、上端側が前記棚板の一側端部に接続されるとともに、下端側に前記ガイド溝に案内されて前記嵌合凹所に嵌合可能な嵌合体を有していることを特徴とする。
また、本発明の収納棚は、収納物が載置され、棚本体の奥行き方向から該棚本体の外側である正面方向へ水平方向にスライド移動可能に設けられた棚板と、前記棚板がスライド移動するとともに従動してスライド移動して引き出された前記棚板を支持する支持構造とを備え、前記支持構造は、前記棚本体の前記棚板の側端部側に設けられたガイド部と、スライド移動する前記棚板に従動して前記棚板を支持する支持部と、前記ガイド部に取り付けられ、前記ガイド部と前記支持部を連結する連結部とを備え、前記ガイド部は、前記棚本体の奥行き方向前方側に上端を、後方側に下端を配して傾斜するようにして前記棚本体に固定され、前記支持部は、前記棚板の一側端部に接続されるとともに、下端側が前記連結部に接続され、前記連結部は、前記支持部の回動に従動することを特徴とする。
また、本発明の収納棚は、収納物が載置され、棚本体の奥行き方向から該棚本体の外側である正面方向へ水平方向にスライド移動可能に設けられた棚板と、前記棚板がスライド移動するとともに従動してスライド移動して引き出された前記棚板を支持する支持構造とを備え、前記支持構造は、前記棚本体の前記棚板の一側端部側に設けられたガイド部と、スライド移動する前記棚板に従動して前記棚板を支持する棒状の支持部と、前記支持部を操作するための操作部とを備え、前記ガイド部は、前記棚本体の奥行き方向後方側から前方側に向かうに従い漸次上方に傾斜して形成されるとともに、上方を向く傾斜面に下方に凹む嵌合凹所が設けられたガイド溝を有し、前記支持部は、上端側が前記棚板の一側端部に回動可能に接続されるとともに、下端側に前記ガイド溝に案内されて前記嵌合凹所に嵌合可能な嵌合体を有し、前記操作部は、前記棚板の一側端部に回動可能に接続して設けられたレバー部材と、前記棚板の一側端部に回動可能に接続して設けられ、前記レバー部材を回動操作するとともに前記レバー部材に押圧されて回動し、前記支持部を押圧して回動させる押圧部材とを備えていることを特徴とする。
また、本発明の収納棚は、収納物が載置され、棚本体の奥行き方向から該棚本体の外側である正面方向へ水平方向にスライド移動可能に設けられた棚板と、前記棚板がスライド移動するとともに従動してスライド移動して引き出された前記棚板を支持する支持構造とを備え、前記支持構造は、前記棚本体の前記棚板の一側端部側に設けられたガイド部と、スライド移動する前記棚板に従動して前記棚板を支持する棒状の支持部と、前記ガイド部に取り付けられ、前記ガイド部と前記支持部を連結する連結部とを備え、前記ガイド部は、前記棚本体の奥行き方向前方側に上端を、後方側に下端を配して傾斜するようにして前記棚本体に固定され、前記支持部は、上端側が前記棚板の一側端部に回動可能に接続されるとともに、下端側が前記連結部に接続され、前記連結部は、前記支持部の回動に応じて前記ガイド部に案内されて、前記ガイド部に沿って進退移動可能に設けられていることを特徴とする。
【０００８】
この発明においては、二次電池などの重量物である収納物が棚板に載置されている場合であっても、棚板をスライド移動して引き出すことによって重量物を容易に収納棚（棚本体）の外側に取り出すことが可能になる。一般に、収納物が載置された棚板を単に引き出した場合には、引き出した棚板がその引出方向基端側のみで支持された片持ち状態になり不安定になる。しかしながら、本発明においては、棚板がスライド移動するとともに従動して棚板を支持する支持構造を備えているため、この支持構造によって収納棚から引き出した棚板を支持することができる。これにより、重量物が収納物として棚板に載置されている場合であっても、引き出した棚板を安定して支持することが可能になる。また、上記のとおり、棚板に従動する支持構造により安定的に支持することが可能であるが故に、一端で棚板をスライド可能に支持するスライドガイドの構造、収納物を直接支持する棚板の構造を簡易なものとすることができる。
【発明の効果】
【０００９】
本発明の収納棚によれば、棚板に載置した二次電池などの重量物であっても収納物を安定的に支持された状態で取り出すことができる。
【図面の簡単な説明】
【００１０】
【図１】本発明の第１、第２実施形態に係る収納棚を示す平面図であり、コンテナ内に設けられて電池を収納した状態を示す図である。
【図２】図１のＸ１−Ｘ１線矢視図であり、本発明の第１、第２実施形態に係る収納棚を示す正面図である。
【図３】本発明の第１、第２実施形態に係る収納棚から棚板を引き出した状態を示す平面図である。
【図４】本発明の第１実施形態に係る収納棚の支持構造を示す図である。
【図５】図４のＸ１−Ｘ１線矢視図であり、本発明の第１実施形態に係る収納棚の支持構造を示す正面図である。
【図６】本発明の第１実施形態に係る収納棚から棚板を引き出し、第２嵌合凹所に嵌合体が嵌合した状態を示す図である。
【図７】本発明の第１実施形態に係る収納棚から棚板を引き出し、第２嵌合凹所に嵌合した嵌合体を操作部の操作によって第２嵌合凹所から抜き出した状態を示す図である。
【図８】本発明の第１実施形態に係る収納棚から棚板を引き出し、第３嵌合凹所に嵌合体が嵌合した状態を示す図である。
【図９】本発明の第１実施形態に係る収納棚の支持構造の変形例を示す図である。
【図１０】本発明の第１実施形態に係る収納棚の支持構造の変形例を示す図であり、取手とレバー部材が連動するように構成した支持構造を示す図である。
【図１１】図１０のＸ１−Ｘ１線矢視図である。
【図１２】本発明の第２実施形態に係る収納棚の支持構造を示す図である。
【図１３】図１２のＸ１−Ｘ１線矢視図であり、本発明の第２実施形態に係る収納棚の支持構造を示す正面図である。
【図１４】本発明の第２実施形態に係る収納棚から棚板を引き出した状態を示す図である。
【図１５】本発明の第２実施形態に係る収納棚の支持構造の連結部を示す図である。
【発明を実施するための形態】
【００１１】
以下、図１から図８を参照し、本発明の第１実施形態に係る収納棚について説明する。図１は、複数の電池で構成されるとともに移動可能な電池ユニット１００を示している。図１に示すように、電池ユニット１００は、箱状のコンテナ２と、コンテナ２の内部に配置された対をなす収納棚１０、１１と、収納棚１０、１１に収納された収納物である複数の電池１とを備える。電池１は、特に限定されないが、例えば二次電池や燃料電池である。ここで、以下の説明に使用する座標を定義する。Ｘ軸方向を収納棚の幅方向Ｔ２とし、Ｙ軸方向を収納棚の奥行き方向Ｔ３とし、Ｚ軸方向を収納棚の上下方向Ｔ１とする。
【００１２】
本実施形態において、コンテナ２内の一対の収納棚１０、１１は、コンテナ２の長手方向に沿って、且つ互いの間に間隔をあけるようにして並設されている。また、これら一対の収納棚１０、１１の間隔は人が通行する可能な幅を有しており通路３を構成している。
【００１３】
収納棚１０、１１は、図１及び図２に示すように、コンテナ２の床面に固定されたフレーム（棚本体）４と、上下方向Ｔ１に所定の間隔をあけて多段状に取り付けられた複数の棚板５と、棚板５をフレーム４に対してスライド可能に支持するスライドガイド６とを備える。各段には、棚板５が収納棚１０、１１（棚本体）の幅方向となる水平方向Ｔ２に沿って複数設けられている。また、各棚板５の両側端部側には、フレーム４に取り付けた側壁７が設けられている。
【００１４】
また、スライドガイド６は、収納棚１０、１１の奥行き方向となる水平方向Ｔ３に延設されており、各棚板５に対応して対をなして設けられている。そして、各棚板５は、両側端部が対応するスライドガイド６に水平方向Ｔ３にスライド移動可能に支持されている。そして、各棚板５は、図３に示すように、スライドガイド６に案内されて収納棚１０、１１から通路３側にスライド移動可能（収納棚１０、１１から水平方向Ｔ３外側に引出可能）に設けられている。
【００１５】
このように構成した本実施形態の収納棚１０、１１には、図１から図３に示すように、電池１が、各棚板５に水平方向Ｔ３に沿って２基ずつ配列するようにして載置されている。また、同一の棚板５に載置された電池１同士は、板状のバスバー（不図示）によって電気的に接続されている。また、異なる棚板５に載置された電池１同士は、例えば螺旋状に形成した伸縮自在なケーブル（不図示）によって電気的に接続されている。このようにして複数の電池１は、直列または並列に接続され、全体として組電池を構成している。
【００１６】
そして、本実施形態の収納棚１０、１１においては、図３に示すように、棚板５をスライドガイド６に案内させて通路３側に引き出すことにより、棚板５に載置された電池１を収納棚１０、１１から外側に、すなわち通路３上となる位置まで取り出すことができる。なお、このとき、ケーブルが伸縮自在に形成されているため、異なる棚板５同士の電池１の相対位置が変化しても、ケーブルを取り外すことなく各棚板５に載置された電池１を収納棚１０、１１から外側に取り出すことが可能である。
【００１７】
ここで、棚板５に載置された複数の電池１が重量物であるため、単に棚板１をスライドさせて通路３に引き出した片持ち状態では、棚板５が不安定になり、電池１の交換や定期的メンテナンスなどを好適に行うことができないおそれがある。
【００１８】
これに対し、本実施形態の収納棚１０、１１においては、図４及び図５に示すように、スライドガイド６よってスライド移動する棚板５に従動して棚板５を支持する支持構造８が設けられている。また、各棚板５には、棚板５を通路３側にスライド移動させる際に作業者が把持する取手９が設けられている。
【００１９】
本実施形態の支持構造８は、棚板５の一側端部側に設けられたガイド部１５と、スライドガイド６よってスライド移動する棚板５を支持する棒状の支持部１６と、支持部１６を操作するための操作部１７とを備えている。
【００２０】
ガイド部１５は、一方の側壁７の内面から外面側に凹むガイド溝で構成されている。このガイド溝１５は、一方の側壁７の奥行き方向Ｔ３後端７ａ側（棚本体の後方側、略中央）から前端７ｂ（棚本体の前方側）まで形成されるとともに、奥行き方向Ｔ３後端７ａ側から前端７ｂに向かうに従い漸次上方に傾斜して形成されている。また、ガイド溝１５は複数の嵌合凹所１８、１９、２０が設けられ、これら嵌合凹所１８、１９、２０は、ガイド溝１５の上方を向く傾斜面（ガイド面）１５ａの下方に凹ませた形で形成されている。そして、本実施形態のガイド溝（ガイド部）１５は、下端に第１嵌合凹所１８が設けられ、下端から上端までの間に第２嵌合凹所１９と第３嵌合凹所２０がそれぞれ、所定の間隔をあけて設けられている。
【００２１】
支持部１６は、上端側が棚板５の一側端部に回動可能に接続された支持棒１６ａと、支持棒１６ａの下端側に一体に設けられ、ガイド溝１５に案内されて嵌合凹所１８、１９、２０に嵌合可能な嵌合体１６ｂとを備えている。
【００２２】
支持棒１６ａの上端側と、棚板５の一側端部とは、第１ヒンジ２１によって相対回転可能に接続されており、これにより、支持棒１６ａは、棚板５に対して一方の側壁７の内面に沿って回動可能となっている。また、第１ヒンジ２１は、棚板５を収納棚（棚本体）１０、１１内に収納した状態（棚板５を引き出していない状態、第１嵌合凹所１８に嵌合体１６ｂが嵌合した状態）で、ガイド溝１５の下端よりも前方側に位置するように、棚板５に設けられている。
【００２３】
嵌合体１６ｂは、支持棒１６ａの軸線直交方向外側（一方の側壁７の内面側）に突出して形成されている。また、この嵌合体１６ｂは、円柱棒状に形成され、その突出方向先端側をガイド溝１５に挿入して（係合させて）設けられている。
【００２４】
操作部１７は、棚板５の一側端部の奥行き方向Ｔ３前方側に第２ヒンジ２２によって回動可能に接続されたレバー部材２３と、棚板５の一側端部の奥行き方向Ｔ３前方側に第３ヒンジ２４によって回動可能に接続された押圧部材２５とを備えている。
【００２５】
レバー部材２３は、略棒状に形成され、第２ヒンジ２２を挟んで両側に延出している。そして、このレバー部材２３は、第２ヒンジ２２を間に棚板５の前方側の部分が作業者の手によって回動操作されるレバー部２３ａとされ、第２ヒンジ２２を間に棚板５の後方側の部分が押圧部２３ｂとされている。
【００２６】
押圧部材２５は、略Ｌ字状に形成され、角部に設けられた第３ヒンジ２４によって棚板５の一側端部に回動可能に接続されている。また、このとき、第３ヒンジ２４は、奥行き方向Ｔ３の第１ヒンジ２１と第２ヒンジ２２の間に配設されている。そして、押圧部材２５は、第３ヒンジ２４を間に棚板５の前方側の部分がレバー押圧部２５ａとされ、第３ヒンジ２４を間に棚板５の後方側の部分が支持棒押圧部２５ｂとされ、レバー押圧部２５ａをレバー部材２３の押圧部２３ｂの下方に近接配置し、支持棒押圧部２５ｂを支持棒１６ａの前方に近接配置して設けられている。
【００２７】
上記構成からなる支持構造８を備えた本実施形態の収納棚１０、１１においては、収納時においては、図４に示すように、棚板５は、フレーム４内に配置され、嵌合体１６ｂがガイド溝１５の第１嵌合凹所１８に嵌合した状態となっている。そして、図６に示すように、交換や定期的メンテナンスなどを行う場合には、電池１が載置された棚板５をフレーム４内から引き出す。すると、支持棒１６ａが、棚板５に従動して第１ヒンジ２１によって回動し、嵌合体１６ｂが第１嵌合凹所１８から抜け出す。さらに棚板５をフレーム４から引き出すと、嵌合体１６ｂがガイド溝１５に沿って収納棚１０、１１の前方側に移動してゆく。
【００２８】
また、ガイド溝１５に案内されて移動する嵌合体１６ｂが第２嵌合凹所１９に達すると、支持棒１６ａ及び嵌合体１６ｂは、自重により第１ヒンジ２１回りに回動し、嵌合体１６ｂが第２嵌合凹所１９に嵌合する。これにより、第２嵌合凹所１９の位置に応じた進出量で引き出された棚板５は、上端側を棚板５に接続し、下端側の嵌合体１６ｂを第２嵌合凹所１９に嵌合させた支持棒１６ａによって支持され、棚板５に重量物の電池（収納物）１を載置した場合であっても、その荷重を支持棒１６ａが受け、嵌合体１６ｂ、ガイド溝１５を通じて側壁７、フレーム４に伝達させて、安定した状態で支持されることになる。
【００２９】
次に、さらに棚板５をフレーム４から引き出す場合には、図７に示すように、作業者が操作部１７のレバー部材２３のレバー部２３ａを手で上方に引き上げ、第２ヒンジ２２によってレバー部材２３を一方向に回動させる。このようにレバー部材２３を操作すると、レバー部材２３の押圧部２３ｂが押圧部材２５のレバー押圧部２５ａを下方に向けて押圧し、押圧部材２５が第３ヒンジ２４によって他方向に回動し、これとともに、押圧部材２５の支持棒押圧部２５ｂが支持棒１６ａを後方側に向けて押圧する。これにより、支持棒１６ａが第１ヒンジ２１によって他方向に回動し、嵌合体１６ｂが第２嵌合凹所１９から抜け出す。このため、作業者が操作部１７を操作するとともに取手９を引っ張ることにより、棚板５がさらに引き出され、嵌合体１６ｂがガイド溝１５に案内されてさらに前方に移動する。
【００３０】
そして、図８に示すように、棚板５に載置された電池１が通路３上に配される位置まで棚板５を引き出すと、嵌合体１６ｂが第３嵌合凹所２０に嵌合する。このように嵌合体１６ｂが第３嵌合凹所２０に嵌合した状態において、棚板５は、上端側を棚板５に接続し、下端側の嵌合体１６ｂを第３嵌合凹所２０に嵌合させた支持棒１６ａによって支持され、やはり、棚板５に重量物の電池１を載置した場合であっても、その荷重を支持棒１６ａが受け、嵌合体１６ｂ、ガイド溝１５を通じて側壁７、フレーム４に伝達させて、安定した状態で支持されることになる。これにより、電池１の交換や定期的メンテナンスなどが好適に行える。
【００３１】
なお、棚板５をフレーム４内に収納する際には、作業者が操作部１７のレバー部材２３を手で引き上げて嵌合体１６ｂを嵌合凹所１９、２０から抜き出すとともに、取手９を把持して棚板５を押し込む。これにより、棚板５を引き出す場合と逆に、嵌合体１６ｂがガイド溝１５に案内されて収納棚１０、１１の後方側に移動しつつ、棚板５が収納棚１０、１１の内側にスライド移動して収納される。
【００３２】
したがって、本実施形態の収納棚１０、１１においては、二次電池などの重量物が収納物１として棚板５に載置されている場合であっても、棚板５を引き出すことによって収納物１を容易に収納棚１０、１１の外側に取り出すことが可能になる。
【００３３】
また、棚板５がスライド移動するとともに従動して、この棚板５を支持する支持構造８を備えているため、重量物の収納物１が棚板５に載置されている場合であっても、引き出した棚板５を安定して支持することが可能になる。また、棚板５に従動する支持構造８により安定的に支持することが可能であるが故に、基端で棚板５をスライド移動可能に支持するスライドガイド６の構造、収納物１を直接支持する棚板５の構造を簡易なものとすることができる。
【００３４】
さらに、棚板５をスライド移動させると、棚板５の一側端部に上端側を回動可能に接続した支持部１６が回動し、これとともに支持部１６の下端側の嵌合体１６ｂがガイド溝１５内を移動して嵌合凹所１８、１９、２０に嵌合する。これにより、引き出した棚板５からの荷重を支持部１６で受けて支持することが可能になり、重量物の収納物１が棚板５に載置されている場合であっても、引き出した棚板５を安定して支持（保持）することが可能になる。
【００３５】
また、操作部１７のレバー部材２３を回動操作することで、支持部１６を押圧して回動させることができる。このため、レバー部材２３を回動操作することにより、嵌合体１６ｂを嵌合凹所１９、２０から引き抜いて、容易に嵌合体１６ｂと嵌合凹所１９、２０の嵌合状態を解除することができ、嵌合体１６ｂをガイド溝１５内で移動させて棚板５をスライド移動させることができる。
【００３６】
よって、コンテナ２内に設置され、多数の電池１を棚板５に載置して使用した場合において、電池１に劣化や故障が発生したり、電池１の定期的なメンテナンスを行う際に、引き出した棚板５を安定した状態で保持し、容易に電池１に対してアクセスすることができ、電池１の交換作業やメンテナンス作業に迅速且つ柔軟に対応することが可能になる。
【００３７】
以上、本発明に係る収納棚の第１実施形態について説明したが、本発明は上記の第１実施形態に限定されるものではなく、その趣旨を逸脱しない範囲で適宜変更可能である。
【００３８】
例えば、本実施形態では、ガイド溝１５に３つの嵌合凹所１８、１９、２０が設けられているものとしたが、嵌合凹所の数、位置は特に限定を必要とするものではない。
【００３９】
また、図９に示すように、嵌合凹所１９、２０の収納棚１０、１１の後方側を向く面とガイド面の交角θを鈍角にして嵌合凹所１９、２０を形成するようにしてもよい。この場合には、棚板５を収納棚１０、１１から引き出す際に、棚板５を外側に引っ張りながら操作部１７を操作することで、嵌合体１６ｂを嵌合凹所１９、２０から抜き出す際に要する力を軽減することができ、使い勝手を良くすることができる。
【００４０】
さらに、本実施形態では、作業者が操作部１７のレバー部材２３のレバー部２３ａを手で引き上げて操作するとともに支持棒１６ａ（支持部１６）が回動し、別途取手９を引っ張ったり、押し込んで、棚板５を出し入れするように支持構造８（収納棚１０、１１）が構成されているものとした。
【００４１】
これに対し、取手９を握って操作するとともにレバー部材２３が連動して支持棒１６ａを動かすように支持構造８（収納棚１０、１１）を構成してもよい。具体的に、例えば図１０及び図１１に示すように、一端をレバー部材２３（レバー部２３ａ）に接続し、回動軸２６を介して他端を棚板５の他側端部側に回動可能に接続して、棚本体１０、１１の幅方向Ｔ２に沿って取手９を延設して支持構造８を構成してもよい。そして、この場合には、作業者が取手９を握って引き上げると、取手９が幅方向Ｔ２に延びる回動軸２６周りに回動し、これに連動してレバー部材２３が第２ヒンジ２２によって回動し、支持棒１６ａを動かす（操作する）ことができる。また、作業者が取手９を握って引き上げつつ、引っ張ったり、押し込むことで、棚板５を出し入れすることができる。これにより、本実施形態よりも簡便に棚板５を出し入れすることができ、使い勝手を良くすることが可能になる。
【００４２】
また、本実施形態では、収納棚１０、１１がコンテナ２内に設けられて二次電池などの電池１の収納に使用されるものとして説明を行ったが、本発明の収納棚は、電池１の収納に限定して使用する必要はなく、勿論、あらゆる収納物の収納（載置）、あらゆる場所に適用可能である。
【００４３】
次に、図１２から図１５を参照し、本発明の第２実施形態に係る収納棚について説明する。本実施形態は、第１実施形態に対し、支持構造の構成のみが異なる。このため、本実施形態では、第１実施形態と同様の構成に対して同一符号を付し、その詳細な説明を省略する。
【００４４】
本実施形態の支持構造３０は、図１２及び図１３に示すように、収納棚１０、１１の一方の側壁７（あるいはフレーム４）に上端側と下端側をそれぞれ固定して設けられた略円柱棒状のガイド部３１と、ガイド部３１が挿通し、このガイド部３１に案内されてガイド部３１に沿う上下に進退移動可能に且つガイド部３１に固定可能な略筒状の連結部３２と、上端側が棚板５の一側端部に第１ヒンジ３３によって回動可能に接続され、下端側が連結部３２に接続され、スライドガイド６よってスライド移動する棚板５を支持する棒状の支持部３４とを備えている。
【００４５】
本実施形態のガイド部３１は、フレーム４に対して、下端側が奥行き方向Ｔ３後方側に、上端側が下端よりも奥行き方向Ｔ３前方側となるようにして固定されている。
【００４６】
一方、連結部３２は、略筒状の筒状部材を軸線に沿って２分割した形（半割りにした形）で形成されている。また、この連結部３２は、２分割した一方の分割ブロック３２ａと他方の分割ブロック３２ｂを弾性部材３２ｃで連結して略筒状となるように構成されている。そして、連結部３２は、一方の分割ブロック３２ａと他方の分割ブロック３２ｂで形成される内孔にガイド部３１を挿通し、一方の分割ブロック３２ａと他方の分割ブロック３２ｂでガイド部３１をクランプ保持するように取り付けられている。
【００４７】
また、この連結部３２は、一方の分割ブロック３２ａに支持部３４の下端側が第２ヒンジ３５によって回動可能に接続され、支持部３４が第１ヒンジ３３によって正逆回動すると、一方の分割ブロック３２ａが変位して、ガイド部３１に対する固定状態を解除することが可能である。さらに、支持部３４の回動を停止して棚板５の荷重を支持させると、連結部３２は、支持部３４から伝達される荷重により、他方の分割ブロック３２ｂに対して一方の分割ブロック３２ａが近接しようとする。これにより、両分割ブロック３２ａ、３２ｂによってガイド部３１がクランプ保持され、ガイド部３１に対して固定状態にすることができる。
【００４８】
さらに、本実施形態において、連結部３２は、図１５（ａ）に示すように、他方の分割ブロック３２ｂとともにガイド部３１を挿通する内孔を形成する一方の分割ブロック３２ａの内面３２ｄ（内孔）が、上端と下端の間の略中央部を境に断面くの字状に形成されている。また、一方の分割ブロック３２ａは、上端側の内面３２ｄが連結部３２の軸線に沿って（すなわち、外面３２ｅに沿って）形成され、下端側の内面３２ｄが中央部から軸線方向下端に向かうに従い漸次外面３２ｅに近づくように形成されている。さらに、第２ヒンジ３５が一方の分割ブロック３２ａの上端側に設けられて、支持部３４の下端側が一方の分割ブロック３２ａの上端側に接続されている。
【００４９】
そして、この連結部３２は、ガイド部３１に固定した状態で、図１５（ａ）に示すように、一方の分割ブロック３２ａの上端側と他方の分割ブロック３２ｂの内面３２ｄ同士でガイド部３１をクランプ保持するように構成されている。一方、図１５（ｂ）に示すように、支持部３４が第１ヒンジ部３３によって正逆回動すると、一方の分割ブロック３２ａの上端側が外側に引っ張られ、上端側の内面３２ｄがガイド部３１の外面から離れるように一方の分割ブロック３２が変位し、ガイド部３１に対する固定状態が解除されるように構成されている。また、このとき、一方の分割ブロック３２ａの下端側の内面３２ｄがガイド部３１の外面に近づき、この一方の分割ブロック３２ａの下端側の内面３２ｄと他方の分割ブロック３２ｂの内面３２ｄによってガイド部３１を内包する断面略円形状の内孔が形成される。
【００５０】
上記構成からなる本実施形態の収納棚１０、１１においては、図１４（図１２参照）に示すように、作業者が取手９を把持して引っ張り、交換や定期的メンテナンスなどを行う電池１が載置された棚板５を収納棚１０、１１から引き出すと、第１ヒンジ３３で回動しながら支持部３４の上端側が棚板５に従動して引っ張られる。このように支持部３４が引っ張られると、連結部３２の一方の分割ブロック３２ａが変位し、連結部３２の内孔が拡径する。これにより、ガイド部３１に対する連結部３２の固定状態が解除され、連結部３２がガイド部３１に案内されて上方に移動してゆく。
【００５１】
そして、作業者が棚板５を所望の位置まで引き出し、棚板５のスライド移動が停止すると、支持部３４ひいては連結部３２の一方の分割ブロック３２ａが引っ張られなくなり、一方の分割ブロック３２ａが弾性部材３２ｃによる復元力と、支持部３４から作用する荷重によって他方の分割ブロック３２ｂに近接するように変位し、連結部３２の内孔が縮径する。これにより、連結部３２がガイド部３１に固定され、重量物の電池１を載置した棚板５を引き出したとしても、所望の進出量で引き出された棚板５からの荷重を支持部３４及びガイド部３１で受け、棚板５が安定した状態で支持される。
【００５２】
一方、棚板５を収納棚１０、１１に収納する際には、作業者が取手９を押し込んで棚板５を収納棚１０、１１の内側にスライド移動すると、第１ヒンジ３３で回動しながら支持部３４の上端側が棚板５に従動して押し込まれる。そして、このように支持部３４の上端側が押し込まれると、支持部３４の下端側が第２ヒンジ３５で回動しながら下方に押圧され、連結部３２の一方の分割ブロック３２ａが変位し、連結部３２の内孔が拡径する。これにより、ガイド部３１に対する連結部３２の固定状態が解除され、連結部３２がガイド部３１に案内されて下方に移動する。
【００５３】
また、作業者が棚板５を引き込んでスライド移動が停止すると、一方の分割ブロック３２ａが弾性部材３２ｃによる復元力と、支持部３４から作用する荷重によって他方の分割ブロック３２ｂに近接するように変位し、連結部３２の内孔が縮径する。これにより、連結部３２がガイド部３１に固定され、棚板５からの荷重を支持部３４及びガイド部３１で受け、棚板５が安定した状態で支持されて収納棚１０、１１に収納される。
【００５４】
したがって、二次電池などの重量物が収納物１として棚板５に載置されている場合であっても、棚板５を引き出すことによって収納物１を容易に収納棚１０、１１の外側に取り出すことが可能になる。
【００５５】
また、本実施形態の収納棚１０、１１においても、棚板５がスライド移動するとともに従動して、この棚板５を支持する支持構造３０を備えているため、重量物の収納物１が棚板５に載置されている場合であっても、引き出した棚板５を安定して支持することが可能になる。また、棚板５に従動する支持構造３０により安定的に支持することが可能であるが故に、基端で棚板５をスライド移動可能に支持するスライドガイド６の構造、収納物１を直接支持する棚板５の構造を簡易なものとすることができる。
【００５６】
さらに、本実施形態の収納棚１０、１１においては、棚板５をスライド移動させると、棚板５の一側端部に上端側を回動可能に接続した支持部３４が回動し、これとともに支持部３４の下端側を接続した連結部３２をガイド部３１に沿って進退移動させることができる。そして、棚板５のスライド移動を停止すると、連結部３２がガイド部３１に固定され、引き出した棚板５からの荷重を支持部３４から連結部３２、連結部３２からガイド部３１で受けて支持することが可能になる。これにより、重量物の収納物１が棚板５に載置されている場合であっても、引き出した棚板５を安定して支持することが可能になる。
【００５７】
また、このように構成することで、棚板５の引出量に制限を受けることなく、所望の位置に引き出した棚板５を支持構造３０によって支持（保持）することが可能になる。また、第１実施形態に比べ第２実施形態の支持棒の動きが滑らかであり操作性がよい。
【００５８】
よって、コンテナ２内に設置され、多数の電池１を棚板５に載置して使用した場合において、電池１に劣化や故障が発生したり、電池１の定期的なメンテナンスを行う際に、引き出した棚板５を安定した状態で保持し、容易に電池１に対してアクセスすることができ、電池１の交換作業やメンテナンス作業に迅速且つ柔軟に対応することが可能になる。
【００５９】
以上、本発明に係る収納棚の第２実施形態について説明したが、本発明は上記の第２実施形態に限定されるものではなく、その趣旨を逸脱しない範囲で適宜変更可能である。
【符号の説明】
【００６０】
１        電池
２        コンテナ
３        通路
４        フレーム（棚本体）
５        棚板
６        スライドガイド
７        側壁
７ａ      後端（後方）
７ｂ      前端（前方）
８        支持構造
９        取手
１０      収納棚
１１      収納棚
１５      ガイド溝（ガイド部）
１６      支持部
１６ａ    支持棒
１６ｂ    嵌合体
１７      操作部
１８      第１嵌合凹所（嵌合凹所）
１９      第１嵌合凹所（嵌合凹所）
２０      第１嵌合凹所（嵌合凹所）
２１      第１ヒンジ
２２      第２ヒンジ
２３      レバー部材
２３ａ    レバー部
２３ｂ    押圧部
２４      第３ヒンジ
２５      押圧部材
２５ａ    レバー押圧部
２５ｂ    支持棒押圧部
２６      回動軸
３０      支持構造
３１      ガイド部
３２      連結部
３２ａ    一方の分割ブロック
３２ｂ    他方の分割ブロック
３２ｃ    弾性部材
３２ｄ    内面
３２ｅ    外面
３３      第１ヒンジ
３４      支持部
３５      第２ヒンジ
１００    電池ユニット
Ｔ１      上下方向
Ｔ２      幅方向（水平方向）
Ｔ３      奥行き方向（水平方向）
【図１】
0005383643.tif 000002
【図２】
0005383643.tif 000003
【図３】
0005383643.tif 000004
【図４】
0005383643.tif 000005
【図５】
0005383643.tif 000006
【図６】
0005383643.tif 000007
【図７】
0005383643.tif 000008
【図８】
0005383643.tif 000009
【図９】
0005383643.tif 000010
【図１０】
0005383643.tif 000011
【図１１】
0005383643.tif 000012
【図１２】
0005383643.tif 000013
【図１３】
0005383643.tif 000014
【図１４】
0005383643.tif 000015
【図１５】
0005383643.tif 000016